(57)【要約】【課題】  電源投入直後であっても、ＥＭＭの受信がされていないことによる無音声時間の発生しない受信装置を提供する。【解決手段】  本発明に係る受信装置１は、コンテンツ視聴のために受信部が駆動していない際に、ＥＭＭ信号を予め取得しておくためにコンテンツ信号を受信し、ＥＭＭ信号を取得することで、ユーザがコンテンツ視聴を望んだ際には、ＥＭＭ信号を既に取得している。【選択図】        図４
2007036626.tif 000002
【特許請求の範囲】
【請求項１】
コンテンツ信号を受信するコンテンツ信号受信部と、
前記コンテンツ信号受信部の受信した暗号化されたコンテンツ信号を復号するコンテンツ信号復号部と、
前記コンテンツ信号復号部において前記暗号化されたコンテンツ信号を復号するために必要な情報を、前記コンテンツ信号受信部が受信したコンテンツ信号が再生されていない際に前記コンテンツ信号受信部より取得するコンテンツ復号情報取得部と、を備えることを特徴とする受信装置。
【請求項２】
前記コンテンツ信号受信部は、主電源が切断された状態において前記コンテンツ信号復号部において前記暗号化されたコンテンツ信号を復号するために必要な情報を受信することを特徴とする請求項１記載の受信装置。
【請求項３】
前記コンテンツ信号受信部は、受信機のセットアップ時において前記コンテンツ信号復号部において前記暗号化されたコンテンツ信号を復号するために必要な情報を受信することを特徴とする請求項１記載の受信装置。
【請求項４】
前記コンテンツ信号受信部は、前記コンテンツ信号復号部において前記暗号化されたコンテンツ信号を復号するために必要な情報を受信する際に、前回の受信日時を記憶しておき、一定の間隔において再受信することを特徴とする請求項１記載の受信装置。
【請求項５】
コンテンツ信号を受信するコンテンツ信号受信部と、
前記コンテンツ信号受信部の受信した暗号化されたコンテンツ信号に含まれるＥＣＭ信号を抽出するＥＣＭ信号抽出部と、
前記コンテンツ信号受信部の受信した暗号化されたコンテンツ信号に含まれる必要なＥＭＭ信号を抽出するＥＭＭ信号抽出部と、
前記ＥＭＭ信号抽出部により抽出されたＥＭＭ信号を復号するマスター鍵を格納するマスター鍵格納部と、
前記マスター鍵格納部に格納された前記マスター鍵を用いて前記ＥＭＭ信号抽出部により抽出された前記ＥＭＭ信号を復号するＥＭＭ信号復号部と、
前記ＥＭＭ信号復号部により復号されたＥＭＭ信号に含まれるワーク鍵を用いて前記ＥＣＭ信号抽出部により抽出された前記ＥＣＭ信号を復号するＥＣＭ信号復号部と、
前記ＥＣＭ信号復号部により復号されたＥＣＭ信号に含まれるスクランブル鍵を用いて前記コンテンツ信号受信部により受信された暗号化されたコンテンツ信号を復号するコンテンツ信号復号部を備え、
前記コンテンツ信号受信部は、コンテンツ視聴状態でない際にＥＭＭ信号を含むコンテンツ信号を受信して前記ＥＭＭ信号抽出部へ送信することを特徴とする受信装置。
【発明の詳細な説明】
【技術分野】
【０００１】
本発明は、受信装置に関し、特に、有料放送の番組選局から短時間での映像・音声の出力開始が可能な受信装置に関する。
【背景技術】
【０００２】
近年、通信衛星や放送衛星を用いた衛星デジタル放送や地上波デジタル放送が行われている。
【０００３】
衛星デジタル放送では有料放送が行われており、チャンネル単位、番組単位、時間単位など様々な方法で視聴制御を可能にする限定受信システムが運用されている。この限定受信システムでは、利用者の契約状態等に応じた個別契約情報を受信装置に伝送し、受信装置や受信装置に挿入して用いるＩＣカードに設定する。
【０００４】
各受信装置に伝送する個別の視聴契約情報はＥＭＭ（Entitlement Management Message）データと呼ばれている。ＥＭＭデータには受信装置固有のＩＤ(Identification)番号が付加されている。ＥＭＭデータは、受信装置固有のＩＤ毎にユニークなマスタ鍵（Ｋｍ）により暗号化された後、放送信号に多重されて放送局側のセンタ装置から各受信装置へ伝送される。
【０００５】
また、映像、音声、データ等のコンテンツは、スクランブル鍵（Ｋｓ）によりスクランブル化された後、放送信号に多重されて放送局側のセンタ装置から各受信装置へ伝送される。スクランブル鍵（Ｋｓ）はＥＭＭデータの一部として伝送されるワーク鍵（Ｋｗ）によって暗号化された後、ＥＣＭ（Entitlement Control Message）として放送信号に多重されて放送局側のセンタ装置から各受信装置へ伝送される。
【０００６】
現在、国内のデジタル放送はARIB-STD B25に準拠した方式で運用されており、上述したようなＥＣＭ、ＥＭＭを利用した３重鍵構造になっている。ここで使用される暗号方式は共通鍵暗号方式であり、情報の送り手と受け手が同じ鍵を共有することで暗号化された情報を送受するものである。
【０００７】
受信装置がＥＣＭ及びＥＭＭを受信する際、ＥＣＭデータについては放送電波と共に約１００ｍｓ間隔で送信されているので、いかなるタイミングでも受信可能であるが、ＥＭＭデータについては一回毎の送信の間隔が比較的長く且つ不定期であるので、数十秒程度の間隔があくこともある。そのため、ワーク鍵（Ｋｗ）を有していない段階で放送受信を開始しようとすると、ＥＭＭを受信するまでの間スクランブルが解除できず、その間視聴者は待たされることになる。
【０００８】
このような問題点に対しては、複数のチューナを有する受信装置において、１のチューナにて放送受信中に、使用されていないチューナにおいて他の放送のＥＭＭを受信するシステムが考えられている（例えば、特許文献１参照）。
【特許文献１】特開２００２−３２５２４０号公報
【発明の開示】
【発明が解決しようとする課題】
【０００９】
しかしながら、特許文献１の発明においては、受信装置が複数のチューナを有している必要があり、また、受信装置の電源投入直後にはＥＭＭの受信が未だされておらず、その場合には視聴者が待たされるという問題を解決できない。
【００１０】
従って、本発明の目的は、電源投入直後であっても、ＥＭＭの受信がされていないことによる無音声時間の発生しない受信装置を提供することにある。
【課題を解決するための手段】
【００１１】
本発明は、上記目的を達成するため、コンテンツ信号を受信するコンテンツ信号受信部と、前記コンテンツ信号受信部の受信した暗号化されたコンテンツ信号を復号するコンテンツ信号復号部と、前記コンテンツ信号復号部において前記暗号化されたコンテンツ信号を復号するために必要な情報を、前記コンテンツ信号受信部が受信したコンテンツ信号が再生されていない際に前記コンテンツ信号受信部より取得するコンテンツ復号情報取得部と、を備えることを特徴とする受信装置を提供する。
【００１２】
このように構成することにより、ユーザが番組視聴をしていない際にＥＭＭを受信するので、電源投入時にＥＭＭが未取得であることがなくなるので、無音声、無画像状態を生じさせず、即座にコンテンツ表示が可能となる。
【００１３】
上記コンテンツ信号受信部は、主電源が切断された状態において前記コンテンツ信号復号部において前記暗号化されたコンテンツ信号を復号するために必要な情報を受信するものであってもよい。
【００１４】
上記コンテンツ信号受信部は、受信機のセットアップ時において前記コンテンツ信号復号部において前記暗号化されたコンテンツ信号を復号するために必要な情報を受信するものであってもよい。
【００１５】
また、上記コンテンツ信号受信部は、前記コンテンツ信号復号部において前記暗号化されたコンテンツ信号を復号するために必要な情報を受信する際に、前回の受信日時を記憶しておき、一定の間隔において再受信するものであってもよい。
【００１６】
また、本発明は、コンテンツ信号を受信するコンテンツ信号受信部と、前記コンテンツ信号受信部の受信した暗号化されたコンテンツ信号に含まれるＥＣＭ信号を抽出するＥＣＭ信号抽出部と、前記コンテンツ信号受信部の受信した暗号化されたコンテンツ信号に含まれる必要なＥＭＭ信号を抽出するＥＭＭ信号抽出部と、前記ＥＭＭ信号抽出部により抽出されたＥＭＭ信号を復号するマスター鍵を格納するマスター鍵格納部と、前記マスター鍵格納部に格納された前記マスター鍵を用いて前記ＥＭＭ信号抽出部により抽出された前記ＥＭＭ信号を復号するＥＭＭ信号復号部と、前記ＥＭＭ信号復号部により復号されたＥＭＭ信号に含まれるワーク鍵を用いて前記ＥＣＭ信号抽出部により抽出された前記ＥＣＭ信号を復号するＥＣＭ信号復号部と、前記ＥＣＭ信号復号部により復号されたＥＣＭ信号に含まれるスクランブル鍵を用いて前記コンテンツ信号受信部により受信された暗号化されたコンテンツ信号を復号するコンテンツ信号復号部を備え、前記コンテンツ信号受信部は、コンテンツ視聴状態でない際にＥＭＭ信号を含むノンテンツ信号を受信して前記ＥＭＭ信号抽出部へ送信することを特徴とする受信装置を提供するものでもある。
【００１７】
本発明によれば、電源投入直後に無音声、無映像状態を生じずに有料放送を視聴することができる。
【発明の効果】
【００１８】
本発明によれば、電源投入直後に無音声、無映像状態を生じずに有料放送を視聴することができる。
【発明を実施するための最良の形態】
【００１９】
［第１の実施の形態］
以下、本発明に係る受信装置について、図面を参照しつつ説明する。
【００２０】
（システムの構成）
図１は、本発明に係る受信装置１及びデジタル放送の受信環境を表す外観図である。受信装置１には、デジタル放送電波を受信するアンテナ２が接続されている。
【００２１】
また、受信装置１には、コンテンツ画像を表示するモニタ１４１、コンテンツ音声を発生するスピーカ１５１、リモコン４からの赤外線信号を受信するリモコン受信部１９１を備える。
【００２２】
アンテナ２にて受信した有料デジタル放送の電波はアンテナ２にて受信されると、受信装置１へ送られ、デスクランブル処理がなされた後、モニタ１４１より画像の表示が、スピーカにより音声の発生が可能となる。
【００２３】
なお、図１においては、アンテナ２はＢＳ放送を受信するためのパラボラアンテナとして描かれているが、本発明はこれに限定されず地上波放送を受信するものであってもよい。また、ケーブルテレビによりデジタル放送を受信するよう構成されるものであってもよく、この場合には、アンテナ２の代わりにＣＡＴＶ端子に接続されることとなる。
【００２４】
（受信装置１の内部構成）
図２は、本発明に係る受信装置１の内部構成を示すブロック図である。
【００２５】
受信装置１は、ＣＰＵ１１と、メモリ１２と、信号変換部１３と、画像表示部１４と、音声発生部１５と、受信部１７と、電話モデム１８と、リモコン用Ｉ／Ｆ１９と、メイン内部バス２０とからなる。
【００２６】
ＣＰＵ１１は、受信装置１における各機能の制御を司るものであり、各構成部に対して信号を送信し、各種動作を実行させる。
【００２７】
メモリ１２は、受信装置１を駆動させるためにＣＰＵ１１に実行させるプログラムの格納や、当該プログラムに用いられる各種パラメータ等の一時的な格納等のために用いられるものであり、具体的には、ＲＯＭ、ＲＡＭ、ＨＤＤなどが該当する。
【００２８】
信号変換部１３は、後述の受信部の受信した暗号化されたコンテンツ信号のデスクランブルや、デコードを行う。また、画像表示部１４は、信号変換部１３によって返還されたコンテンツ画像信号より画像を再生、表示するものであり、音声発生部１５は、信号変換部１３によって返還されたコンテンツ音声信号より音声を再生、発生するものである。
【００２９】
受信部１７は、アンテナ２の受信したデジタル放送の放送電波を電気信号として受信するものであり、チューナに該当する。
【００３０】
リモコン用Ｉ／Ｆ１９は、ユーザがリモコン４を操作することによりリモコン４より発せられた赤外線信号を受信するためのものである。
【００３１】
メイン内部バス２０は、上記各構成部を電気的に接続しており、メイン内部バス２０を介して各構成部間の信号の送受信がなされる。
【００３２】
（受信装置１におけるコンテンツ信号受信時の動作）
次に本発明に係る受信装置１における、コンテンツ信号受信時の動作について、図３を参照しつつ説明する。
【００３３】
図３は、本発明に係る受信装置１におけるコンテンツ信号受信の動作を示す機能ブロック図の一例である。
【００３４】
受信装置１は、選局部１０１においてアンテナ２の受信した信号より、所望する放送局の放送信号を選択し、ＥＣＭ，ＥＭＭの各信号を分離部１０２へ、コンテンツ信号をデスクランブラ部１０５へと送信する。分離部１０２の受信した信号は、ＥＣＭとＥＭＭに分離され、ＥＣＭはＩＣカード５へ、ＥＭＭはフィルタリング部１０３へと送信される。
【００３５】
フィルタリング部１０３へ送られたＥＭＭは、ＩＤ記憶部に格納されたＩＤに対応するＥＭＭのみが抽出され、抽出されたＥＭＭはＥＭＭ復号部５２へ送られる。
【００３６】
ＥＭＭ復号部５２では、マスター鍵格納部５３に格納されたマスター鍵を用いてＥＭＭの復号がなされる。そして復号されたＥＭＭに含まれるワーク鍵を用いて、ＥＣＭ復号部においてＥＣＭの復号がなされる。復号されたＥＣＭに含まれるスクランブル鍵を用いてデスクランブラ部５において暗号化コンテンツの復号がなされる。
【００３７】
コンテンツの復号がなされた後、デコーダ部１０６を経由して、モニタ部１０７、スピーカ部１０８へと送信される。
【００３８】
（ＥＭＭ受信時の動作フロー）
本発明に係る受信装置１におけるＥＭＭ受信時の動作を、フローチャートを参照しつつ説明する。尚、以下、特別の表記がない限り、各ステップにおける動作はＣＰＵ１１においてなされるものとする。
【００３９】
図４は、受信装置１におけるＥＭＭ受信時の動作を示すフローチャートである。
【００４０】
最初に、待機電源がオンされる（ステップＳ１０１）。この時点において主電源はオフ状態であるが、待機電源がオンとなることで、受信装置１の各構成部に対して電源供給が可能となる。
【００４１】
次に、ＥＭＭの受信がなされる（ステップＳ１０２）。受信装置１が起動していない状況で、ＥＭＭ受信のためにチューナを起動させ、ＥＭＭ信号を受信する。そして、格納されたＩＤに対応するＥＭＭを抽出し、それに含まれるワーク鍵を記憶する（ステップＳ１０３）。
【００４２】
次に、主電源がオンされる（ステップＳ１０４）。続いてユーザの選別によりコンテンツの受信が開始される（ステップＳ１０５）。受信したコンテンツ信号は暗号化されているためそのままでは視聴できないが、受信装置１は、既にＥＭＭを受信してワーク鍵を取得しているため、直ちにデスクランブル処理が可能となり（ステップＳ１０６）、コンテンツ信号は復号化され、コンテンツの再生がなされる（ステップＳ１０７）。
【００４３】
このように構成することにより、電源待機中にＥＭＭを受信するので、電源投入時にＥＭＭが未取得であることがなくなるので、無音声、無画像状態を生じさせず、即座にコンテンツ表示が可能となる。
【図面の簡単な説明】
【００４４】
【図１】本発明に係る受信装置１及びデジタル放送の受信環境を表す外観図である。
【図２】本発明に係る受信装置１の内部構成を示すブロック図である。
【図３】本発明に係る受信装置１におけるコンテンツ信号受信の動作を示す機能ブロック図の一例である。
【図４】受信装置１におけるＥＭＭ受信時の動作を示すフローチャートである。
【符号の説明】
【００４５】
１、受信装置  ２、アンテナ  ４、リモコン  ５、ＩＣカード  １１、ＣＰＵ
１２、メモリ  １３、信号変換部  １４、画像表示部  １５、音声発生部
１６、カード用Ｉ／Ｆ  １７、受信部  １９、リモコン用Ｉ／Ｆ  ２０、メイン内部バス
【図１】
2007036626.tif 000003
【図２】
2007036626.tif 000004
【図３】
2007036626.tif 000005
【図４】
2007036626.tif 000006